(57)【要約】    【課題】  表示画像中で物体が高速に移動する場合などに隣接する投写画像間で表示のずれが発生するのを抑制するとともに、画面の書き換え時間が長いことに起因して動画表示特性が低下するのを抑制することが可能なマルチプロジェクションディスプレイを提供する。    【解決手段】  複数のプロジェクタのそれぞれから投写される複数の投写画像を投写面にタイリング投写して大画面を構成することのできるマルチプロジェクションディスプレイにおいて、複数のプロジェクタにおけるすべての電気光学変調装置は、１フレームにｎ回の書き込み走査を行うｎ倍速の電気光学変調装置であり、複数のプロジェクタのそれぞれは、ｎ回の書き込み走査のうち少なくとも１回目の書き込み走査を行っている期間には光源からの光が電気光学変調装置の画像形成領域に照射されないように照射光量制御を行う照射光量制御装置をさらに有するマルチプロジェクションディスプレイ。【選択図】  図６
2006300982.tif 000002
【特許請求の範囲】
【請求項１】
光源と、複数本の走査線を順次選択して書き込み走査を行う電気光学変調装置と、投写光学系とを有する複数のプロジェクタを有し、
前記複数のプロジェクタのそれぞれから投写される複数の投写画像を投写面にタイリング投写して大画面を構成することのできるマルチプロジェクションディスプレイにおいて、
前記複数のプロジェクタにおけるすべての前記電気光学変調装置は、１フレームにｎ回（但し、ｎは２以上の整数。）の書き込み走査を行うｎ倍速の電気光学変調装置であり、
前記複数のプロジェクタのそれぞれは、前記ｎ回の書き込み走査のうち少なくとも１回目の書き込み走査を行っている期間には前記光源からの光が前記電気光学変調装置の画像形成領域に照射されないように照射光量制御を行う照射光量制御装置をさらに有することを特徴とするマルチプロジェクションディスプレイ。
【請求項２】
請求項１に記載のマルチプロジェクションディスプレイにおいて、
前記複数のプロジェクタにおけるすべての前記電気光学変調装置は、１フレームにｍ回（但し、ｍは３以上の整数。）の書き込み走査を行うｍ倍速の電気光学変調装置であり、
前記照射光量制御装置は、前記ｍ回の書き込み走査のうち少なくとも１回目及び２回目の書き込み走査を行っている期間には前記光源からの光が前記電気光学変調装置の画像形成領域に照射されないように照射光量制御を行うことを特徴とするマルチプロジェクションディスプレイ。
【請求項３】
請求項１に記載のマルチプロジェクションディスプレイにおいて、
前記複数のプロジェクタにおけるすべての前記電気光学変調装置は、１フレームにｍ回（但し、ｍは３以上の整数。）の書き込み走査を行うｍ倍速の電気光学変調装置であり、
前記照射光量制御装置は、前記ｍ回の書き込み走査のうち１回目の書き込み走査を行っている期間には前記光源からの光が前記電気光学変調装置の画像形成領域に照射されないように照射光量制御を行うことを特徴とするマルチプロジェクションディスプレイ。
【請求項４】
請求項１〜３のいずれかに記載のマルチプロジェクションディスプレイにおいて、
前記光源は固体光源であり、
前記照射光量制御装置は、前記固体光源の発光を停止することによって前記光源からの光が前記電気光学変調装置の画像形成領域に照射されないように照射光量制御を行うことを特徴とするマルチプロジェクションディスプレイ。
【請求項５】
請求項１〜３のいずれかに記載のマルチプロジェクションディスプレイにおいて、
前記光源は発光管であり、
前記照射光量制御装置は、前記発光管からの光を遮光することによって前記光源からの光が前記電気光学変調装置の画像形成領域に照射されないように照射光量制御を行うことを特徴とするマルチプロジェクションディスプレイ。
【発明の詳細な説明】
【技術分野】
【０００１】
本発明は、マルチプロジェクションディスプレイに関する。
【背景技術】
【０００２】
複数台のプロジェクタのそれぞれから投写される複数の投写画像をスクリーンにタイリング投写して大画面を構成することのできるマルチプロジェクションディスプレイが知られている。このようなマルチプロジェクションディスプレイにおいては、表示画像中で物体が高速で移動する場合などに、上下の繋ぎ目の部分で表示のずれが発生するという問題がある（例えば、特許文献１参照。）。
【０００３】
図１６は、マルチプロジェクションディスプレイにおける問題点を示す図である。なお、図１６中、矢印は物体が移動する方向を示している。
すなわち、上記のようなマルチプロジェクションディスプレイにおいては、図１６（ａ）に示すような１フレーム分の映像信号の走査に対して、上半分の投写画像に対する走査と下半分の投写画像に対する走査を並行して行うと、図１６（ｂ）に示すように、上下の繋ぎ目の部分で表示のずれが発生するという問題が生じる。これは、上下の繋ぎ目の部分の表示に１フレーム分の時間差があるためである。
【０００４】
これに対して、特許文献１に記載された従来のマルチプロジェクションディスプレイにおいては、下側の投写画像に対する映像信号を上側の投写画像に対する映像信号に対して、１フレーム分遅らせることとしている。このため、特許文献１に記載された従来のマルチプロジェクションディスプレイによれば、図１６（ｃ）に示すように、上下の繋ぎ目の部分における表示のずれの発生を解消することが可能になる。
【０００５】
しかしながら、特許文献１に記載された従来のマルチプロジェクションディスプレイの技術を、複数の投写画像を互いに重畳領域を有するようにタイリング投写して大画面を構成するマルチプロジェクションディスプレイに適用した場合には、上下方向で互いに隣接する投写画像の重畳領域における上下の投写画像間で重複領域の幅に対応する時間ずれが発生し、図１６（ｄ）に示すように、重畳領域において表示のずれが発生する。
【０００６】
これに対して、特許文献１に記載された従来の他のマルチプロジェクションディスプレイにおいては、上下方向で互いに隣接する投写画像の重畳領域の幅に対応して上下の投写画像に対する映像信号を時間的にシフトさせることとしている。このため、特許文献１に記載された従来の他のマルチプロジェクションディスプレイによれば、図１６（ｄ）に示すような、上下の投写画像間の重畳領域（以下、上下重畳領域という。）における表示ずれを解消することが可能になる。
【０００７】
【特許文献１】特開２００１−２２２２６９号公報
【発明の開示】
【発明が解決しようとする課題】
【０００８】
しかしながら、上記した特許文献１に記載された従来の他のマルチプロジェクションディスプレイにおいては、下側の投写画像に対する映像信号を上側の投写画像に対する映像信号に対して１フレーム分遅らせることとしているため、画面全体を上端から下端まで書き換えるのに約２フレームの時間がかかってしまい、動画表示特性が低下するという問題があった。なお、画面全体を上端から下端まで書き換えるのに必要な時間は、投写画像を３行でタイリング投写する場合には約３フレームであり、投写画像を４行でタイリング投写する場合には約４フレームである。従って、この問題はプロジェクタの台数を増やせば増やすほど大きな問題となる。
【０００９】
本発明は、このような問題を解決するためになされたもので、表示画像中で物体が高速に移動する場合などに隣接する投写画像間で表示のずれが発生するのを抑制するとともに、画面の書き換え時間が長いことに起因して動画表示特性が低下するのを抑制することが可能なマルチプロジェクションディスプレイを提供すること目的とする。
【課題を解決するための手段】
【００１０】
（１）本発明のマルチプロジェクションディスプレイは、光源と、複数本の走査線を順次選択して書き込み走査を行う電気光学変調装置と、投写光学系とを有する複数のプロジェクタを有し、前記複数のプロジェクタのそれぞれから投写される複数の投写画像を投写面にタイリング投写して大画面を構成することのできるマルチプロジェクションディスプレイにおいて、前記複数のプロジェクタにおけるすべての前記電気光学変調装置は、１フレームにｎ回（但し、ｎは２以上の整数。）の書き込み走査を行うｎ倍速の電気光学変調装置であり、前記複数のプロジェクタのそれぞれは、前記ｎ回の書き込み走査のうち少なくとも１回目の書き込み走査を行っている期間には前記光源からの光が前記電気光学変調装置の画像形成領域に照射されないように照射光量制御を行う照射光量制御装置をさらに有することを特徴とする。
【００１１】
このため、本発明のマルチプロジェクションディスプレイによれば、投写画像におけるいずれの領域においても、少なくとも１回目の書き込み動作が行われた後に光源からの光が照射されることになる。すなわち、投写画像におけるいずれの領域においても、当該フレームの画像情報についての書き込み動作が行われた後に光源からの光が照射されることになる。このため、表示画像中で物体が高速に移動する場合などに隣接する投写画像間で表示のずれが発生するのを抑制することが可能になる。
【００１２】
また、本発明のマルチプロジェクションディスプレイによれば、画面全体を書き換えるのに必要な時間は１フレームであり、画面の書き換え時間が長いことに起因して動画表示特性が低下するのを抑制することが可能になる。
【００１３】
さらにまた、本発明のマルチプロジェクションディスプレイによれば、ｎ回の書き込み走査のうち少なくとも１回目の書き込み走査を行っている期間には光源からの光が電気光学変調装置の画像形成領域に照射されないようになるため、インパルス型の表示特性に近くなり、動画表示特性が改善されるという効果も得られる。
【００１４】
（２）本発明のマルチプロジェクションディスプレイにおいては、前記複数のプロジェクタにおけるすべての前記電気光学変調装置は、１フレームにｍ回（但し、ｍは３以上の整数。）の書き込み走査を行うｍ倍速の電気光学変調装置であり、前記照射光量制御装置は、前記ｍ回の書き込み走査のうち少なくとも１回目及び２回目の書き込み走査を行っている期間には前記光源からの光が前記電気光学変調装置の画像形成領域に照射されないように照射光量制御を行うことが好ましい。
【００１５】
ところで、電気光学変調装置の中には、液晶装置のように画像情報の書き込みに対する光学応答が遅い電気光学変調装置が存在する。このような電気光学変調装置を用いた場合には、１回目の書き込み走査を行っている期間だけ光源からの光を電気光学変調装置の画像形成領域に照射しないこととすると、電気光学変調装置において最後に書き込み走査される画素については、１回目の書き込み走査が終わってまだ十分に光学応答のなされていない画素に光源からの光が照射されることになり、コントラストの低下を招くことになる。
【００１６】
これに対して、本発明のマルチプロジェクションディスプレイによれば、電気光学変調装置において最後に書き込み走査される画素についても、２回目の書き込み走査が終わった後に光源からの光が照射されることになる。このため、液晶装置のように画像情報の書き込みに対する光学応答が遅い電気光学変調装置を用いた場合にも、２回目の書き込み走査が終わって十分に光学応答のなされた画素に対して光源からの光が照射されることになり、コントラストの低下が抑制される。
【００１７】
（３）本発明のマルチプロジェクションディスプレイにおいては、前記複数のプロジェクタにおけるすべての前記電気光学変調装置は、１フレームにｍ回（但し、ｍは３以上の整数。）の書き込み走査を行うｍ倍速の電気光学変調装置であり、前記照射光量制御装置は、前記ｍ回の書き込み走査のうち１回目の書き込み走査を行っている期間には前記光源からの光が前記電気光学変調装置の画像形成領域に照射されないように照射光量制御を行うことが好ましい。
【００１８】
このように構成することにより、上記（１）の効果、すなわち、表示画像中で物体が高速に移動する場合などに隣接する投写画像間で表示のずれが発生するのを抑制するとともに、画面の書き換え時間が長いことに起因して動画表示特性が低下するのを抑制することが可能となるという効果を維持しつつ、光源からの光が電気光学変調装置に照射される時間を最大化することができるため、輝度の高いマルチプロジェクションディスプレイを構成することが可能になる。
【００１９】
（４）本発明のマルチプロジェクションディスプレイにおいては、前記光源は固体光源であり、前記照射光量制御装置は、前記固体光源の発光を停止することによって前記光源からの光が前記電気光学変調装置の画像形成領域に照射されないように照射光量制御を行うことが好ましい。
【００２０】
このように構成することにより、円滑な照射光量制御を行うことが可能になる。また、電気光学変調装置への光照射が不要なときには固体光源の発光を停止することとしているため、その分消費電力を低減することが可能になる。
【００２１】
（５）本発明のマルチプロジェクションディスプレイにおいては、前記光源は発光管であり、前記照射光量制御装置は、前記発光管からの光を遮光することによって前記光源からの光が前記電気光学変調装置の画像形成領域に照射されないように照射光量制御を行うことが好ましい。
【００２２】
このように構成することによっても、円滑な照射光量制御を行うことが可能になる。この場合、照射光量制御装置は、液晶調光装置、エレクトロクロミック調光装置、回転光シャッタなどの公知の手段により容易に実現可能である。
【発明を実施するための最良の形態】
【００２３】
以下、本発明のプロジェクタについて、図に示す実施の形態に基づいて説明する。
【００２４】
〔実施形態１〕
図１は、実施形態１に係るマルチプロジェクションディスプレイ１を説明するために示す図である。図１（ａ）はマルチプロジェクションディスプレイ１の外観図であり、図１（ｂ）はマルチプロジェクションディスプレイ１におけるタイリング投写を説明するために示すである。
【００２５】
実施形態１に係るマルチプロジェクションディスプレイ１は、４台のプロジェクタＰＪＡ，ＰＪＢ，ＰＪＣ，ＰＪＤのそれぞれから投写される４つの投写画像ＩＡ，ＩＢ，ＩＣ，ＩＤを投写面であるスクリーンＳＣＲにタイリング投写して大画面を構成するマルチプロジェクションディスプレイである。４台のプロジェクタＰＪＡ，ＰＪＢ，ＰＪＣ，ＰＪＤは、４つの投写画像ＩＡ，ＩＢ，ＩＣ，ＩＤのうち隣接する投写画像が互いに重畳領域を発生させるように配置されている。
【００２６】
図２は、マルチプロジェクションディスプレイ１に用いるプロジェクタの光学系１００を示す図である。図３は、マルチプロジェクションディスプレイ１に用いる液晶装置１３０Ｒ，１３０Ｇ，１３０Ｂにおける走査線及びデータ線を説明するために示す図である。
【００２７】
４台のプロジェクタＰＪＡ，ＰＪＢ，ＰＪＣ，ＰＪＤのそれぞれは、図２に示すように、光源として、固体光源である赤色用のＬＥＤ１２０Ｒ、緑色用のＬＥＤ１２０Ｇ及び青色用のＬＥＤ１２０Ｂと、これらの各ＬＥＤ１２０Ｒ，１２０Ｇ，１２０Ｂからの赤色光、緑色光及び青色光をそれぞれ変調する電気光学変調装置としての透過型の液晶装置１３０Ｒ，１３０Ｇ，１３０Ｂと、これらの各液晶装置１３０Ｒ，１３０Ｇ，１３０Ｂで変調された各色光を合成するクロスダイクロイックプリズム１４０と、クロスダイクロイックプリズム１４０で合成された光を投写面に向けて投写する投写光学系としての投写レンズ１５０とを有する光学系１００を備えている。各液晶装置１３０Ｒ，１３０Ｇ，１３０Ｂは、入射側偏光板１３２Ｒ，１３２Ｇ，１３２Ｂ、液晶パネル１３４Ｒ，１３４Ｇ，１３４Ｂ及び射出側偏光板１３６Ｒ，１３６Ｇ，１３６Ｂを有している。
【００２８】
液晶装置１３０Ｒ，１３０Ｇ，１３０Ｂは、図３に示すように、画像形成領域１０と、複数本（この場合、７２０本。）の走査線２２と、これら走査線２２を順次選択する走査線ドライバ２０と、複数本（この場合、１２８０本。）のデータ線３２と、これらデータ線３２を駆動するデータ線ドライバ３０とを有している。
【００２９】
図４は、マルチプロジェクションディスプレイ１における表示情報出力装置の機能を説明するために示す図である。図５は、マルチプロジェクションディスプレイ１における各プロジェクタＰＪＡ，ＰＪＢ，ＰＪＣ，ＰＪＤの機能ブロック図である。
【００３０】
マルチプロジェクションディスプレイ１は、各プロジェクタＰＪＡ，ＰＪＢ，ＰＪＣ，ＰＪＤに加えて、これらの各プロジェクタＰＪＡ，ＰＪＢ，ＰＪＣ，ＰＪＤに画像情報、投写情報及び同期信号を与える表示情報出力装置を備えている。
そして、各プロジェクタＰＪＡ，ＰＪＢ，ＰＪＣ，ＰＪＤは、図５に示すように、投写しようとする投写画像に関する画像情報、投写情報及び同期信号を入力する画像情報等入力部１８０と、画像情報等入力部１８０に入力された画像情報、投写情報及び同期信号に対しそれぞれの情報に応じた処理を行う画像情報等処理部１８２と、画像情報を例えばフレーム単位で記憶する画像情報記憶部１８４と、液晶装置１３０Ｒ，１３０Ｇ，１３０Ｂを駆動する液晶装置駆動部１８６Ｒ，１８６Ｇ，１８６Ｂと、赤色用のＬＥＤ１２０Ｒ、緑色用のＬＥＤ１２０Ｇ、青色用のＬＥＤ１２０Ｂによる照射光量の制御を行う照射光量制御装置１８８とをさらに有している。
【００３１】
画像情報等処理部１８２は、フレームごとの画像情報に対して画素値（輝度及び色あいの）補正などを行う機能を有するとともに、画素値の補正を行った画像情報を画像情報記憶部１８４に記憶させる機能を有する。
【００３２】
また、画像情報等処理部１８２は、同期信号によって１フレーム分の画像情報を画像情報記憶部１８４から読み出して、液晶装置１３０Ｒ，１３０Ｇ，１３０Ｂへの書き込みを行う。
【００３３】
図６は、マルチプロジェクションディスプレイ１における駆動方法を説明するために示す図である。図６（ａ）は書き込み走査と光照射のタイミングとを模式的に表した図であり、図６（ｂ）は各走査信号とＬＥＤ１２０Ｒ，１２０Ｇ，１２０ＢのＯＮ・ＯＦＦのタイミングとの関係を説明するために示す図である。
【００３４】
実施形態１に係るマルチプロジェクションディスプレイ１においては、４台のプロジェクタＰＪＡ，ＰＪＢ，ＰＪＣ，ＰＪＤにおけるすべての液晶装置１３０Ｒ，１３０Ｇ，１３０Ｂとして、図６（ａ）及び図６（ｂ）に示すように、１フレームに２回の書き込み走査を行う２倍速の液晶装置を用いている。また、４台のプロジェクタＰＪＡ，ＰＪＢ，ＰＪＣ，ＰＪＤのそれぞれは、２回の書き込み走査のうち１回目の書き込み走査を行っている期間には各ＬＥＤ１２０Ｒ，１２０Ｇ，１２０Ｂからの光が各液晶装置１３０Ｒ，１３０Ｇ，１３０Ｂの画像形成領域に照射されないように照射光量制御を行う照射光量制御装置１８８をさらに有している（図５参照。）。
【００３５】
このため、実施形態１に係るマルチプロジェクションディスプレイ１によれば、投写画像ＩＡ，ＩＢ，ＩＣ，ＩＤ（図１（ｂ）参照。）におけるいずれの領域においても、１回目の書き込み動作が行われた後に各ＬＥＤ１２０Ｒ，１２０Ｇ，１２０Ｂからの光が照射されることになる。このため、表示画像中で物体が高速に移動する場合などに隣接する上下の投写画像間で表示のずれが発生するのを抑制することが可能になる。
【００３６】
また、実施形態１に係るマルチプロジェクションディスプレイ１によれば、画面全体を上端から下端まで書き換えるのに必要な時間は１フレームであり、画面の書き換え時間が長いことに起因して動画表示特性が低下するのを抑制することが可能になる。
【００３７】
さらにまた、実施形態１に係るマルチプロジェクションディスプレイ１によれば、２回の書き込み走査のうち１回目の書き込み走査を行っている期間には、各ＬＥＤ１２０Ｒ，１２０Ｇ，１２０Ｂからの光が各液晶装置１３０Ｒ，１３０Ｇ，１３０Ｂの画像形成領域に照射されないようになるため、インパルス型の表示特性に近くなり、動画表示特性が改善されるという効果も得られる。
【００３８】
実施形態１に係るマルチプロジェクションディスプレイ１においては、照射光量制御装置１８８が、各ＬＥＤ１２０Ｒ，１２０Ｇ，１２０Ｂの発光を停止することによって各ＬＥＤ１２０Ｒ，１２０Ｇ，１２０Ｂからの光が各液晶装置１３０Ｒ，１３０Ｇ，１３０Ｂの画像形成領域に照射されないように照射光量制御を行うこととしているため、円滑な照射光量制御を行うことが可能になる。また、各液晶装置１３０Ｒ，１３０Ｇ，１３０Ｂへの光照射が不要なときには各ＬＥＤ１２０Ｒ，１２０Ｇ，１２０Ｂの発光を停止することとしているため、その分消費電力を低減することが可能になる。
【００３９】
［変形例１］
マルチプロジェクションディスプレイにおいては、画像情報がネットワークを介して複数のパケットに分割されて各プロジェクタに送信されることがある。このような場合などにおいては、液晶装置の書き込み走査のタイミングがプロジェクタごとに少しずつずれることがあり得る。変形例１は、このような場合を想定した変形例であって、プロジェクタＰＪＡの液晶装置１３０Ｒ，１３０Ｇ，１３０Ｂにおける書き込み走査のタイミングとプロジェクタＰＪＣの液晶装置１３０Ｒ，１３０Ｇ，１３０Ｂにおける書き込み走査のタイミングとの同期が正確に取れていないときを想定した変形例である。
【００４０】
図７は、実施形態１の変形例１に係るマルチプロジェクションディスプレイ１ａにおける走査信号とＬＥＤのＯＮ・ＯＦＦのタイミングとの関係を説明するために示す図である。図７（ａ）はプロジェクタＰＪＡの液晶装置１３０Ｒ，１３０Ｇ，１３０Ｂの書き込み走査のタイミングに対してプロジェクタＰＪＣの液晶装置１３０Ｒ，１３０Ｇ，１３０Ｂの書き込み走査のタイミングが少し遅い場合を示す図であり、図７（ｂ）はプロジェクタＰＪＡの液晶装置１３０Ｒ，１３０Ｇ，１３０Ｂの書き込み走査のタイミングに対してプロジェクタＰＪＣの液晶装置１３０Ｒ，１３０Ｇ，１３０Ｂの書き込み走査のタイミングが少し早い場合を示す図である。
【００４１】
このように、変形例１に係るマルチプロジェクションディスプレイ１ａは、プロジェクタＰＪＡの液晶装置１３０Ｒ，１３０Ｇ，１３０Ｂにおける書き込み走査のタイミングとプロジェクタＰＪＣの液晶装置１３０Ｒ，１３０Ｇ，１３０Ｂにおける書き込み走査のタイミングとの同期が正確に取れていない点で、実施形態１に係るマルチプロジェクションディスプレイ１の場合とは異なるが、実施形態１に係るマルチプロジェクションディスプレイ１の場合と同様に、４台のプロジェクタＰＪＡ，ＰＪＢ，ＰＪＣ，ＰＪＤは、図７（ａ）及び図７（ｂ）に示すように、２回の書き込み走査のうち１回目の書き込み走査を行っている期間には各ＬＥＤ１２０Ｒ，１２０Ｇ，１２０Ｂからの光が各液晶装置１３０Ｒ，１３０Ｇ，１３０Ｂの画像形成領域に照射されないように照射光量制御が行われている。
【００４２】
このため、変形例１に係るマルチプロジェクションディスプレイ１ａによれば、実施形態１に係るマルチプロジェクションディスプレイ１の場合と同様に、投写画像ＩＡ，ＩＢ，ＩＣ，ＩＤ（図１（ｂ）参照。）におけるいずれの領域においても、１回目の書き込み動作が行われた後に各ＬＥＤ１２０Ｒ，１２０Ｇ，１２０Ｂからの光が照射されることになる。すなわち、投写画像ＩＡ，ＩＢ，ＩＣ，ＩＤにおけるいずれの領域においても、当該フレームの画像情報についての書き込み動作が行われた後に各ＬＥＤ１２０Ｒ，１２０Ｇ，１２０Ｂからの光が照射されることになる。このため、表示画像中で物体が高速に移動する場合などに隣接する上下の投写画像間で表示のずれが発生するのを抑制することが可能になる。
【００４３】
また、変形例１に係るマルチプロジェクションディスプレイ１ａによれば、画面全体を上端から下端まで書き換えるのに必要な時間はほぼ１フレームであり、実施形態１に係るマルチプロジェクションディスプレイ１の場合とほぼ同様に、画面の書き換え時間が長いことに起因して動画表示特性が低下するのを抑制することが可能になる。
【００４４】
さらにまた、変形例１に係るマルチプロジェクションディスプレイ１ａによれば、２回の書き込み走査のうち１回目の書き込み走査を行っている期間には各ＬＥＤ１２０Ｒ，１２０Ｇ，１２０Ｂからの光が各液晶装置１３０Ｒ，１３０Ｇ，１３０Ｂの画像形成領域に照射されないようになるため、実施形態１に係るマルチプロジェクションディスプレイ１の場合と同様に、インパルス型の表示特性に近くなり、動画表示特性が改善されるという効果も得られる。
【００４５】
〔実施形態２〕
図８は、実施形態２に係るマルチプロジェクションディスプレイ２における駆動方法を説明するために示す図である。図８（ａ）は書き込み走査と光照射のタイミングとを模式的に表した図であり、図８（ｂ）は各走査信号とＬＥＤ１２０Ｒ，１２０Ｇ，１２０ＢのＯＮ・ＯＦＦのタイミングとの関係を説明するために示す図である。
【００４６】
実施形態２に係るマルチプロジェクションディスプレイ２（図示せず。）は、基本的には実施形態１に係るマルチプロジェクションディスプレイ１の場合と同様の構成を有しているが、図８（ａ）及び図８（ｂ）に示すように、電気光学変調装置として、１フレームに３回の書き込み走査を行う３倍速の液晶装置２３０Ｒ，２３０Ｇ，２３０Ｂ（図示せず。）を用いている点で、実施形態１に係るマルチプロジェクションディスプレイ１の場合とは異なる。
【００４７】
このように、実施形態２に係るマルチプロジェクションディスプレイ２は、電気光学変調装置として、１フレームに３回の書き込み走査を行う３倍速の液晶装置２３０Ｒ，２３０Ｇ，２３０Ｂを用いている点で、実施形態１に係るマルチプロジェクションディスプレイ１の場合とは異なるが、４台のプロジェクタＰＪＡ，ＰＪＢ，ＰＪＣ，ＰＪＤは、図８（ａ）及び図８（ｂ）に示すように、３回の書き込み走査のうち１回目の書き込み走査を行っている期間には各ＬＥＤ１２０Ｒ，１２０Ｇ，１２０Ｂからの光が各液晶装置２３０Ｒ，２３０Ｇ，２３０Ｂの画像形成領域に照射されないように照射光量制御を行うことを特徴としている。
【００４８】
このため、実施形態２に係るマルチプロジェクションディスプレイ２によれば、実施形態１に係るマルチプロジェクションディスプレイ１の場合と同様に、投写画像ＩＡ，ＩＢ，ＩＣ，ＩＤ（図１（ｂ）参照。）におけるいずれの領域においても、１回目の書き込み動作が行われた後に各ＬＥＤ１２０Ｒ，１２０Ｇ，１２０Ｂからの光が照射されることになる。すなわち、投写画像ＩＡ，ＩＢ，ＩＣ，ＩＤにおけるいずれの領域においても、当該フレームの画像情報についての書き込み動作が行われた後に各ＬＥＤ１２０Ｒ，１２０Ｇ，１２０Ｂからの光が照射されることになる。このため、表示画像中で物体が高速に移動する場合などに隣接する上下の投写画像間で表示のずれが発生するのを抑制することが可能になる。
【００４９】
また、実施形態２に係るマルチプロジェクションディスプレイ２によれば、実施形態１に係るマルチプロジェクションディスプレイ１の場合と同様に、画面全体を上端から下端まで書き換えるのに必要な時間は１フレームであり、画面の書き換え時間が長いことに起因して動画表示特性が低下するのを抑制することが可能になる。
【００５０】
また、実施形態２に係るマルチプロジェクションディスプレイ２によれば、３回の書き込み走査のうち１回目の書き込み走査を行っている期間には各ＬＥＤ１２０Ｒ，１２０Ｇ，１２０Ｂからの光が各液晶装置２３０Ｒ，２３０Ｇ，２３０Ｂの画像形成領域に照射されないようになるため、実施形態１に係るマルチプロジェクションディスプレイ１の場合と同様に、インパルス型の表示特性に近くなり、動画表示特性が改善されるという効果も得られる。
【００５１】
さらにまた、実施形態２に係るマルチプロジェクションディスプレイ２によれば、３回の書き込み走査のうち２回目及び３回目の書き込み走査を行っている期間には各ＬＥＤ１２０Ｒ，１２０Ｇ，１２０Ｂからの光が各液晶装置２３０Ｒ，２３０Ｇ，２３０Ｂの画像形成領域に照射されるため、実施形態１に係るマルチプロジェクションディスプレイ１が有する効果、すなわち、表示画像中で物体が高速に移動する場合などに隣接する上下の投写画像間で表示のずれが発生するのを抑制するとともに、画面の書き換え時間が長いことに起因して動画表示特性が低下するのを抑制することが可能となるという効果を維持しつつ、各ＬＥＤ１２０Ｒ，１２０Ｇ，１２０Ｂからの光が各液晶装置２３０Ｒ，２３０Ｇ，２３０Ｂに照射される時間を長くすることができるため、輝度の高いマルチプロジェクションディスプレイを構成することが可能になる。
【００５２】
〔実施形態３〕
図９は、実施形態３に係るマルチプロジェクションディスプレイ３における駆動方法を説明するために示す図である。図９（ａ）は書き込み走査と光照射のタイミングとを模式的に表した図であり、図９（ｂ）は各走査信号とＬＥＤ１２０Ｒ，１２０Ｇ，１２０ＢのＯＮ・ＯＦＦのタイミングとの関係を説明するために示す図である。
【００５３】
実施形態３に係るマルチプロジェクションディスプレイ３（図示せず。）は、基本的には実施形態１に係るマルチプロジェクションディスプレイ１の場合と同様の構成を有しているが、図９（ａ）及び図９（ｂ）に示すように、電気光学変調装置として、１フレームに４回の書き込み走査を行う４倍速の液晶装置３３０Ｒ，３３０Ｇ，３３０Ｂ（図示せず。）を用いている点で、実施形態１に係るマルチプロジェクションディスプレイ１の場合とは異なる。
【００５４】
このように、実施形態３に係るマルチプロジェクションディスプレイ３は、電気光学変調装置として、１フレームに４回の書き込み走査を行う４倍速の液晶装置３３０Ｒ，３３０Ｇ，３３０Ｂを用いている点で、実施形態１に係るマルチプロジェクションディスプレイ１の場合とは異なるが、４台のプロジェクタＰＪＡ，ＰＪＢ，ＰＪＣ，ＰＪＤは、図９（ａ）及び図９（ｂ）に示すように、４回の書き込み走査のうち１回目の書き込み走査を行っている期間には各ＬＥＤ１２０Ｒ，１２０Ｇ，１２０Ｂからの光が各液晶装置３３０Ｒ，３３０Ｇ，３３０Ｂの画像形成領域に照射されないように照射光量制御を行うことを特徴としている。
【００５５】
このため、実施形態３に係るマルチプロジェクションディスプレイ３によれば、実施形態１に係るマルチプロジェクションディスプレイ１の場合と同様に、投写画像ＩＡ，ＩＢ，ＩＣ，ＩＤ（図１（ｂ）参照。）におけるいずれの領域においても、１回目の書き込み動作が行われた後に各ＬＥＤ１２０Ｒ，１２０Ｇ，１２０Ｂからの光が照射されることになる。すなわち、投写画像ＩＡ，ＩＢ，ＩＣ，ＩＤにおけるいずれの領域においても、当該フレームの画像情報についての書き込み動作が行われた後に各ＬＥＤ１２０Ｒ，１２０Ｇ，１２０Ｂからの光が照射されることになる。このため、表示画像中で物体が高速に移動する場合などに隣接する上下の投写画像間で表示のずれが発生するのを抑制することが可能になる。
【００５６】
また、実施形態３に係るマルチプロジェクションディスプレイ３によれば、実施形態１に係るマルチプロジェクションディスプレイ１の場合と同様に、画面全体を上端から下端まで書き換えるのに必要な時間は１フレームであり、画面の書き換え時間が長いことに起因して動画表示特性が低下するのを抑制することが可能になる。
【００５７】
また、実施形態３に係るマルチプロジェクションディスプレイ３によれば、４回の書き込み走査のうち１回目の書き込み走査を行っている期間には各ＬＥＤ１２０Ｒ，１２０Ｇ，１２０Ｂからの光が各液晶装置３３０Ｒ，３３０Ｇ，３３０Ｂの画像形成領域に照射されないようになるため、実施形態１に係るマルチプロジェクションディスプレイ１の場合と同様に、インパルス型の表示特性に近くなり、動画表示特性が改善されるという効果も得られる。
【００５８】
さらにまた、実施形態３に係るマルチプロジェクションディスプレイ３によれば、４回の書き込み走査のうち２回目、３回目及び４回目の書き込み走査を行っている期間には各ＬＥＤ１２０Ｒ，１２０Ｇ，１２０Ｂからの光が各液晶装置３３０Ｒ，３３０Ｇ，３３０Ｂの画像形成領域に照射されるため、実施形態１に係るマルチプロジェクションディスプレイ１が有する効果、すなわち、表示画像中で物体が高速に移動する場合などに隣接する上下の投写画像間で表示のずれが発生するのを抑制するとともに、画面の書き換え時間が長いことに起因して動画表示特性が低下するのを抑制することが可能となるという効果を維持しつつ、各ＬＥＤ１２０Ｒ，１２０Ｇ，１２０Ｂからの光が各液晶装置３３０Ｒ，３３０Ｇ，３３０Ｂに照射される時間をさらに長くすることができるため、さらに輝度の高いマルチプロジェクションディスプレイを構成することが可能になる。
【００５９】
〔実施形態４〕
図１０は、実施形態４に係るマルチプロジェクションディスプレイ４における駆動方法を説明するために示す図である。図１０（ａ）は書き込み走査と光照射のタイミングとを模式的に表した図であり、図１０（ｂ）は各走査信号とＬＥＤ１２０Ｒ，１２０Ｇ，１２０ＢのＯＮ・ＯＦＦのタイミングとの関係を説明するために示す図である。
【００６０】
実施形態４に係るマルチプロジェクションディスプレイ４（図示せず。）は、基本的には実施形態２に係るマルチプロジェクションディスプレイ２の場合と同様の構成を有しているが、照射光量制御装置として、図１０（ａ）及び図１０（ｂ）に示すように、３回の書き込み走査のうち１回目及び２回目の書き込み走査を行っている期間には各ＬＥＤ１２０Ｒ，１２０Ｇ，１２０Ｂからの光が各液晶装置２３０Ｒ，２３０Ｇ，２３０Ｂ（図示せず。）の画像形成領域に照射されないように照射光量制御を行う照明光量制御装置４８８（図示せず。）を用いている点で、実施形態２に係るマルチプロジェクションディスプレイ２の場合とは異なる。
【００６１】
このように、実施形態４に係るマルチプロジェクションディスプレイ４は、照射光量制御装置として、上記した照射光量制御装置４８８を用いている点で、実施形態２に係るマルチプロジェクションディスプレイ２の場合とは異なるが、４台のプロジェクタＰＪＡ，ＰＪＢ，ＰＪＣ，ＰＪＤは、３回の書き込み走査のうち１回目及び２回目の書き込み走査を行っている期間には各ＬＥＤ１２０Ｒ，１２０Ｇ，１２０Ｂからの光が各液晶装置２３０Ｒ，２３０Ｇ，２３０Ｂの画像形成領域に照射されないように照射光量制御を行うことを特徴としている。
【００６２】
このため、実施形態４に係るマルチプロジェクションディスプレイ４によれば、投写画像ＩＡ，ＩＢ，ＩＣ，ＩＤ（図示せず。）におけるいずれの領域においても、２回目の書き込み動作が行われた後に各ＬＥＤ１２０Ｒ，１２０Ｇ，１２０Ｂからの光が照射されることになる。すなわち、投写画像ＩＡ，ＩＢ，ＩＣ，ＩＤにおけるいずれの領域においても、当該フレームの画像情報についての書き込み動作が行われた後に各ＬＥＤ１２０Ｒ，１２０Ｇ，１２０Ｂからの光が照射されることになる。このため、実施形態２に係るマルチプロジェクションディスプレイ２の場合と同様に、表示画像中で物体が高速に移動する場合などに隣接する上下の投写画像間で表示のずれが発生するのを抑制することが可能になる。
【００６３】
また、実施形態４に係るマルチプロジェクションディスプレイ４によれば、実施形態２に係るマルチプロジェクションディスプレイ２の場合と同様に、画面全体を上端から下端まで書き換えるのに必要な時間は１フレームであり、画面の書き換え時間が長いことに起因して動画表示特性が低下するのを抑制することが可能になる。
【００６４】
また、実施形態４に係るマルチプロジェクションディスプレイ４によれば、３回の書き込み走査のうち１回目及び２回目の書き込み走査を行っている期間には各ＬＥＤからの光が各液晶装置２３０Ｒ，２３０Ｇ，２３０Ｂの画像形成領域に照射されないようになるため、実施形態２に係るマルチプロジェクションディスプレイ２の場合と同様に、インパルス型の表示特性に近くなり、動画表示特性が改善されるという効果も得られる。
【００６５】
さらにまた、実施形態４に係るマルチプロジェクションディスプレイ４によれば、液晶装置２３０Ｒ，２３０Ｇ，２３０Ｂにおいて最後に書き込み走査される画素についても、２回目の書き込み走査が終わった後に各ＬＥＤ１２０Ｒ，１２０Ｇ，１２０Ｂからの光が照射されることになる。このため、液晶装置のように画像情報の書き込みに対する光学応答が遅い電気光学変調装置を用いた場合にも、２回目の書き込み走査が終わって十分に光学応答のなされた画素に対して各ＬＥＤ１２０Ｒ，１２０Ｇ，１２０Ｂからの光が照射されることになり、コントラストの低下が抑制されるという効果も得られる。
【００６６】
〔実施形態５〕
図１１は、実施形態５に係るマルチプロジェクションディスプレイ５における表示情報出力装置の機能を説明するために示す図である。
【００６７】
実施形態５に係るマルチプロジェクションディスプレイ５（図示せず。）は、基本的には実施形態１に係るマルチプロジェクションディスプレイ１の場合と同様の構成を有しているが、図１１に示すように、４台のプロジェクタＰＪＡ，ＰＪＢ，ＰＪＣ，ＰＪＤを同期させるために各プロジェクタＰＪＡ，ＰＪＢ，ＰＪＣ，ＰＪＤに同期信号を送るための機能を、１台のプロジェクタＰＪＡに負わせている点で、実施形態１に係るマルチプロジェクションディスプレイ１の場合とは異なる。
【００６８】
このように、実施形態５に係るマルチプロジェクションディスプレイ５は、同期信号を送るための機能を１台のプロジェクタＰＪＡに負わせている点で、実施形態１に係るマルチプロジェクションディスプレイ１の場合とは異なるが、それ以外の点では実施形態１に係るマルチプロジェクションディスプレイ１の場合と同様の構成を有しているため、実施形態１に係るマルチプロジェクションディスプレイ１が有する効果をそのまま有する。
【００６９】
〔実施形態６〕
図１２は、実施形態６に係るマルチプロジェクションディスプレイ６の光学系６００を示す図である。
【００７０】
実施形態６に係るマルチプロジェクションディスプレイ６（図示せず。）は、基本的には実施形態１に係るマルチプロジェクションディスプレイ１の場合と同様の構成を有しているが、図１２に示すように、光源として発光管６２０を用いている点（及びそれに伴って光均一化光学系６２６及び色分離導光光学系６７０を備えた点）で、実施形態１に係るマルチプロジェクションディスプレイ１の場合とは異なる。
【００７１】
このように、実施形態６に係るマルチプロジェクションディスプレイ６は、光源として発光管６２０を用いている点（及びそれに伴って光均一化光学系６２６及び色分離導光光学系６７０を備えた点）で、実施形態１に係るマルチプロジェクションディスプレイ１の場合とは異なるが、それ以外の点では実施形態１に係るマルチプロジェクションディスプレイ１の場合と同様の構成を有しているため、実施形態１に係るマルチプロジェクションディスプレイ１が有する効果をそのまま有する。
【００７２】
さらにまた、実施形態６に係るマルチプロジェクションディスプレイ６によれば、照射光量制御装置６６０が、発光管６２０からの光を遮光することによって発光管６２０からの光が各液晶装置１３０Ｒ，１３０Ｇ，１３０Ｂの画像形成領域に照射されないように照射光量制御を行うこととしているため、実施形態１に係るマルチプロジェクションディスプレイ１の場合と同様に、円滑な照射光量制御を行うことが可能になる。
この場合、照射光量制御装置６６０としては、液晶調光装置、エレクトロクロミック調光装置、回転光シャッタなどを好ましく用いることができる。
【００７３】
〔実施形態７〕
図１３は、実施形態７に係るマルチプロジェクションディスプレイ７の光学系７００を示す図である。
【００７４】
実施形態７に係るマルチプロジェクションディスプレイ７（図示せず。）は、基本的には実施形態６に係るマルチプロジェクションディスプレイ６の場合と同様の構成を有しているが、図１３に示すように、電気光学変調装置として反射型の液晶装置（ＬＣＯＳ）７３０Ｒ，７３０Ｇ，７３０Ｂを用いている点（及びそれに伴って偏光分離のために３個の偏光ビームスプリッタ７９０Ｒ，７９０Ｇ，７９０Ｂを備えた点）で、実施形態６に係るマルチプロジェクションディスプレイ６の場合とは異なる。
【００７５】
このように、実施形態７に係るマルチプロジェクションディスプレイ７は、電気光学変調装置として反射型の液晶装置（ＬＣＯＳ）７３０Ｒ，７３０Ｇ，７３０Ｂを用いている点（及びそれに伴って偏光分離のために３個の偏光ビームスプリッタ７９０Ｒ，７９０Ｇ，７９０Ｂを備えた点）で、実施形態６に係るマルチプロジェクションディスプレイ６の場合とは異なるが、それ以外の点では実施形態６に係るマルチプロジェクションディスプレイ６の場合と同様の構成を有しているため、実施形態６に係るマルチプロジェクションディスプレイ６が有する効果をそのまま有する。
【００７６】
〔実施形態８〕
図１４は、実施形態８に係るマルチプロジェクションディスプレイ８の光学系８００を示す図である。
【００７７】
実施形態８に係るマルチプロジェクションディスプレイ８（図示せず。）は、基本的には実施形態６に係るマルチプロジェクションディスプレイ６の場合と同様の構成を有しているが、図１４に示すように、電気光学変調装置としてマイクロミラー型の光変調装置８３０Ｒ，８３０Ｇ，８３０Ｂを用いている点（及びそれに伴って不要光の除去のために３個の全反射プリズム８９０Ｒ，８９０Ｇ，８９０Ｂを備えた点）で、実施形態６に係るマルチプロジェクションディスプレイ６の場合とは異なる。
【００７８】
このように、実施形態８に係るマルチプロジェクションディスプレイ８は、電気光学変調装置としてマイクロミラー型の光変調装置８３０Ｒ，８３０Ｇ，８３０Ｂを用いている点（及びそれに伴って不要光の除去のために３個の全反射プリズム８９０Ｒ，８９０Ｇ，８９０Ｂを備えた点）で、実施形態６に係るマルチプロジェクションディスプレイ６の場合とは異なるが、それ以外の点では実施形態６に係るマルチプロジェクションディスプレイ６の場合と同様の構成を有しているため、実施形態６に係るマルチプロジェクションディスプレイ６が有する効果をそのまま有する。
【００７９】
〔実施形態９〕
図１５は、実施形態９に係るマルチプロジェクションディスプレイ９を説明するために示す図である。図１５（ａ）はマルチプロジェクションディスプレイ９の外観図であり、図１５（ｂ）は各プロジェクタＰＪＥ，ＰＪＦ，ＰＪＧからの投写画像ＩＥ，ＩＦ，ＩＧを示す図である。
【００８０】
実施形態９に係るマルチプロジェクションディスプレイ９は、プロジェクタの台数及び配列並びに書き込み走査の方向が、実施形態１に係るマルチプロジェクションディスプレイ１の場合とは異なる。
すなわち、実施形態１に係るマルチプロジェクションディスプレイ１においては、４台のプロジェクタＰＪＡ，ＰＪＢ，ＰＪＣ，ＰＪＤを２行×２列に配列し、上から下に向けて書き込み走査を行うこととしているのに対し、実施形態９に係るマルチプロジェクションディスプレイ９においては、図１５（ａ）及び図１５（ｂ）に示すように、３台のプロジェクタＰＪＥ，ＰＪＦ，ＰＪＧを横方向に並べて配列し、左から右に向けて書き込み走査を行うこととしている。
なお、３台のプロジェクタＰＪＥ，ＰＪＦ，ＰＪＧは、実施形態１で説明したプロジェクタＰＪＡ，ＰＪＢ，ＰＪＣ，ＰＪＤと同様の構成を有しているため、ここでは詳細な説明を省略する。
【００８１】
このように、実施形態９に係るマルチプロジェクションディスプレイ９は、プロジェクタの台数及び配列並びに書き込み走査の方向が、実施形態１に係るマルチプロジェクションディスプレイ１の場合とは異なるが、３台のプロジェクタＰＪＥ，ＰＪＦ，ＰＪＧは、実施形態１に係るマルチプロジェクションディスプレイ１の場合と同様に、２回の書き込み走査のうち１回目の書き込み走査を行っている期間には各ＬＥＤ９２０Ｒ，９２０Ｇ，９２０Ｂ（図示せず。）からの光が各液晶装置９３０Ｒ，９３０Ｇ，９３０Ｂ（図示せず。）の画像形成領域に照射されないように照射光量制御を行うことを特徴としている。
【００８２】
このため、実施形態９に係るマルチプロジェクションディスプレイ９によれば、実施形態１に係るマルチプロジェクションディスプレイ１の場合と同様に、投写画像ＩＥ，ＩＦ，ＩＧにおけるいずれの領域においても、１回目の書き込み動作が行われた後に各ＬＥＤ９２０Ｒ，９２０Ｇ，９２０Ｂからの光が照射されることになる。すなわち、投写画像ＩＥ，ＩＦ，ＩＧにおけるいずれの領域においても、当該フレームの画像情報についての書き込み動作が行われた後に各ＬＥＤ９２０Ｒ，９２０Ｇ，９２０Ｂからの光が照射されることになる。このため、表示画像中で物体が高速に移動する場合などに隣接する左右の投写画像間で表示のずれが発生するのを抑制することが可能になる。
【００８３】
また、実施形態９に係るマルチプロジェクションディスプレイ９によれば、画面全体を左端から右端まで書き換えるのに必要な時間は１フレームであり、画面の書き換え時間が長いことに起因して動画表示特性が低下するのを抑制することが可能になる。
【００８４】
また、実施形態９に係るマルチプロジェクションディスプレイ９によれば、２回の書き込み走査のうち１回目の書き込み走査を行っている期間には各ＬＥＤ９２０Ｒ，９２０Ｇ，９２０Ｂからの光が各液晶装置９３０Ｒ，９３０Ｇ，９３０Ｂの画像形成領域に照射されないようになるため、実施形態１に係るマルチプロジェクションディスプレイ１の場合と同様に、インパルス型の表示特性に近くなり、動画表示特性が改善されるという効果も得られる。
【００８５】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００８６】
（１）上記実施形態１〜８において、プロジェクタを２行×２列に配列したマルチプロジェクションディスプレイを例示して説明したが、本発明はこれに限定されるものではなく、２行×１列、２行×３列、３行×３列、４行×４列、その他のマルチプロジェクションディスプレイにも適用可能である。
【００８７】
（２）上記実施形態１〜８において、２行×２列の上下にも左右にも重畳領域を有するマルチプロジェクションディスプレイを例示して説明したが、本発明はこれに限定されるものではなく、上下方向にのみ重畳領域を有するマルチプロジェクションディスプレイにも適用可能である。
【００８８】
（３）上記各実施形態において、マルチプロジェクションディスプレイを構成する１台のプロジェクタが３つの液晶装置を有するプロジェクタで有る場合を例示して説明したが、本発明はこれに限定されるものではなく、マルチプロジェクションディスプレイを構成する１台のプロジェクタが１つ、２つ又は４つ以上の液晶装置を有するプロジェクタである場合にも適用可能である。
【００８９】
（４）本発明は、投写画像を観察する側から投写するフロント型のマルチプロジェクションディスプレイに適用する場合にも、投写画像を観察する側とは反対の側から投写するリア型のマルチプロジェクションディスプレイに適用する場合にも可能である。
【図面の簡単な説明】
【００９０】
【図１】実施形態１に係るマルチプロジェクションディスプレイ１を説明するために示す図。
【図２】マルチプロジェクションディスプレイ１に用いるプロジェクタの光学系１００を示す図。
【図３】マルチプロジェクションディスプレイ１に用いる液晶装置１３０Ｒ，１３０Ｇ，１３０Ｂにおける走査線及びデータ線を説明するために示す図。
【図４】マルチプロジェクションディスプレイ１における表示情報出力装置の機能を説明するために示す図。
【図５】マルチプロジェクションディスプレイ１における各プロジェクタＰＪＡ，ＰＪＢ，ＰＪＣ，ＰＪＤの機能ブロック図。
【図６】マルチプロジェクションディスプレイ１における駆動方法を説明するために示す図。
【図７】実施形態１の変形例１に係るマルチプロジェクションディスプレイ１ａにおける走査信号とＬＥＤのＯＮ・ＯＦＦのタイミングとの関係を説明するために示す図。
【図８】実施形態２に係るマルチプロジェクションディスプレイ２における駆動方法を説明するために示す図。
【図９】実施形態３に係るマルチプロジェクションディスプレイ３における駆動方法を説明するために示す図。
【図１０】実施形態４に係るマルチプロジェクションディスプレイ４における駆動方法を説明するために示す図。
【図１１】実施形態５に係るマルチプロジェクションディスプレイ５における表示情報出力装置の機能を説明するために示す図。
【図１２】実施形態６に係るマルチプロジェクションディスプレイ６の光学系６００を示す図。
【図１３】実施形態７に係るマルチプロジェクションディスプレイ７の光学系７００を示す図。
【図１４】実施形態８に係るマルチプロジェクションディスプレイ８の光学系８００を示す図。
【図１５】実施形態９に係るマルチプロジェクションディスプレイ９を説明するために示す図。
【図１６】マルチプロジェクションディスプレイにおける問題点を示す図。
【符号の説明】
【００９１】
１，９…マルチプロジェクションディスプレイ、１０…画像形成領域、２０…走査線ドライバ、２２…走査線、３０…データ線ドライバ、３２…データ線、１００，６００，７００，８００…光学系、１２０Ｒ，１２０Ｇ，１２０Ｂ…ＬＥＤ、１３０Ｒ，１３０Ｇ，１３０Ｂ…（透過型の）液晶装置、１３２Ｒ，１３２Ｇ，１３２Ｂ…入射側偏光板、１３４Ｒ，１３４Ｇ，１３４Ｂ…液晶パネル、１３６Ｒ，１３６Ｇ，１３６Ｂ…射出側偏光板、１４０…クロスダイクロイックプリズム、１５０…投写レンズ、１８０…画像情報等入力部、１８２…画像情報等処理部、１８４…画像情報記憶部、１８６Ｒ，１８６Ｇ，１８６Ｂ…液晶装置駆動部、１８８，６６０…照射光量制御装置、６２０…発光管、６２１…リフレクタ、６２２…第１レンズアレイ、６２３…第２レンズアレイ、６２４…偏光変換素子、６２５…重畳レンズ、６２６…光均一化光学系、６７０…色分離導光光学系、７３０Ｒ，７３０Ｇ，７３０Ｂ…（反射型の）液晶装置、７９０Ｒ，７９０Ｇ，７９０Ｂ…偏光ビームスプリッタ、８３０Ｒ，８３０Ｇ，８３０Ｂ…マイクロミラー型の光変調装置、８９０Ｒ，８９０Ｇ，８９０Ｂ…全反射プリズム、ＩＡ，ＩＢ，ＩＣ，ＩＤ，ＩＥ，ＩＦ，ＩＧ…投写画像、ＰＪＡ，ＰＪＢ，ＰＪＣ，ＰＪＤ，ＰＪＥ，ＰＪＦ，ＰＪＧ…プロジェクタ、ＳＣＲ…スクリーン、Ｗ１，Ｗ２，Ｗ３，Ｗ４…書き込み信号
【図２】
2006300982.tif 000003
【図３】
2006300982.tif 000004
【図４】
2006300982.tif 000005
【図５】
2006300982.tif 000006
【図７】
2006300982.tif 000007
【図１１】
2006300982.tif 000008
【図１６】
2006300982.tif 000009
【図１】
2006300982.tif 000010
【図６】
2006300982.tif 000011
【図８】
2006300982.tif 000012
【図９】
2006300982.tif 000013
【図１０】
2006300982.tif 000014
【図１２】
2006300982.tif 000015
【図１３】
2006300982.tif 000016
【図１４】
2006300982.tif 000017
【図１５】
2006300982.tif 000018